(57)【特許請求の範囲】
【請求項１】
回転する第１の回転部材と、
前記第１の回転部材に対向し、前記第１の回転部材に従動して回転する第２の回転部材と、を有し、
前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で同じ位置に形成されている
記録媒体送出装置。
【請求項２】
回転する第１の回転部材と、
前記第１の回転部材に対向し、前記第１の回転部材に従動して回転する第２の回転部材と、を有し、
前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で異なる位置に形成され、前記第１の回転部材の回転により、前記回転部材本体の一端側の前記凸部と他端側の前記凹部とが同時に記録媒体に接して、記録媒体の形状を変化させて搬送する
記録媒体送出装置。
【請求項３】
記録媒体に画像を形成する画像形成部と、
前記画像形成部により画像が形成された記録媒体が搬送される搬送路と、
前記搬送路の記録媒体下流端に設けられ、回転する第１の回転部材と、前記第１の回転部材に対向し、前記第１の回転部材に従動して回転する第２の回転部材と、を有し、前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で同じ位置に形成されている記録媒体送出装置と、
前記記録媒体送出装置により送出された記録媒体が積載される積載部と、
を有する画像形成装置。
【請求項４】
記録媒体に画像を形成する画像形成部と、
前記画像形成部により画像が形成された記録媒体が搬送される搬送路と、
前記搬送路の記録媒体下流端に設けられ、回転する第１の回転部材と、前記第１の回転部材に対向し、前記第１の回転部材に従動して回転する第２の回転部材と、を有し、前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で異なる位置に形成され、前記第１の回転部材の回転により、前記回転部材本体の一端側の前記凸部と他端側の前記凹部とが同時に記録媒体に接して、記録媒体の形状を変化させて搬送する記録媒体送出装置と、
前記記録媒体送出装置により送出された記録媒体が積載される積載部と、
を有する画像形成装置。
【発明の詳細な説明】
【技術分野】
【０００１】
本発明は、記録媒体送出装置及び画像形成装置に関する。
【背景技術】
【０００２】
特許文献１には、回転駆動され用紙を送り出す送出しローラと、送出しローラに接触して従動し送出しローラとともに用紙を送り出す従動ローラと、を備えた用紙送出装置において、前記送出しローラおよび従動ローラのいずれか一方の外周部にローラの幅方向に溝を設けた構成が記載されている。
【０００３】
特許文献２には、媒体が積載される積載部に向けて媒体を排出する排出部材であって、第１の回転部材と、前記第１の回転部材に対向する第２の回転部材とを有し、前記第１の回転部材と前記第２の回転部材との間に媒体を挟んで排出する前記排出部材と、軸を中心として回転可能に構成され且つ前記第１の回転部材に接触可能な搬送部と、前記搬送部から軸方向にずれた位置に配置されて前記軸を中心に回転可能に構成され且つ前記軸から外周までの距離が前記搬送部に比べて大きく形成されて軸方向に沿って媒体に湾曲を付与する付与部と、を有する前記第２の回転部材と、前記付与部の外周に設けられて、前記排出部材の回転に伴って、排出される媒体における媒体の排出方向の上流端に接触する上流端への接触部と、を備えた構成が記載されている。
【先行技術文献】
【特許文献】
【０００４】
【特許文献１】特開平５−１６２８６８号公報
【特許文献２】特開２０１４−６１９８３号公報
【発明の概要】
【発明が解決しようとする課題】
【０００５】
本発明は、記録媒体の送出不良を低減することができる記録媒体送出装置及び画像形成装置を提供することを目的とする。
【課題を解決するための手段】
【０００６】
請求項１に係る本発明は、回転する第１の回転部材と、前記第１の回転部材に対向し、前記第１の回転部材に従動して回転する第２の回転部材と、を有し、前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で同じ位置に形成されている記録媒体送出装置である。 
【０００７】
請求項２に係る本発明は、回転する第１の回転部材と、前記第１の回転部材に対向し、前記第１の回転部材に従動して回転する第２の回転部材と、を有し、前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で異なる位置に形成され、前記第１の回転部材の回転により、前記回転部材本体の一端側の前記凸部と他端側の前記凹部とが同時に記録媒体に接して、記録媒体の形状を変化させて搬送する記録媒体送出装置である。 
【０００８】
請求項３に係る本発明は、記録媒体に画像を形成する画像形成部と、前記画像形成部により画像が形成された記録媒体が搬送される搬送路と、前記搬送路の記録媒体下流端に設けられ、回転する第１の回転部材と、前記第１の回転部材に対向し、前記第１の回転部材に従動して回転する第２の回転部材と、を有し、前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で同じ位置に形成されている記録媒体送出装置と、前記記録媒体送出装置により送出された記録媒体が積載される積載部と、を有する画像形成装置である。
【０００９】
請求項４に係る本発明は、記録媒体に画像を形成する画像形成部と、前記画像形成部により画像が形成された記録媒体が搬送される搬送路と、前記搬送路の記録媒体下流端に設けられ、回転する第１の回転部材と、前記第１の回転部材に対向し、前記第１の回転部材に従動して回転する第２の回転部材と、を有し、前記第１の回転部材および前記第２の回転部材の少なくともいずれか一方の両端側には、一方の回転部材に対向する回転部材本体に軸方向に滑らかなテーパー状又は滑らかな曲線状に連続して形成され、前記回転部材本体よりも径の大きい凸部と、前記回転部材本体に軸方向に滑らかなテーパー状又は滑らかな曲線状に連続して形成され、前記回転部材本体よりも径の小さい凹部と、が周方向に交互に形成され、前記回転部材本体の一端側の前記凸部と他端側の前記凸部とは、周方向で異なる位置に形成され、前記第１の回転部材の回転により、前記回転部材本体の一端側の前記凸部と他端側の前記凹部とが同時に記録媒体に接して、記録媒体の形状を変化させて搬送する記録媒体送出装置と、前記記録媒体送出装置により送出された記録媒体が積載される積載部と、を有する画像形成装置である。
【発明の効果】
【００１０】
請求項１に係る本発明によれば、本発明の構成を有しない場合に比べて、記録媒体の送出不良を低減することができる。
【００１１】
請求項２に係る本発明によれば、本発明の構成を有しない場合に比べて、記録媒体の後端を回転部材の凹凸に引っ掛けやすくして、記録媒体の送出不良を低減することができる。
【００１２】
請求項３に係る本発明によれば、本発明の構成を有しない場合に比べて、記録媒体の送出不良を低減することができる。
【００１３】
請求項４に係る本発明によれば、本発明の構成を有しない場合に比べて、記録媒体の後端を回転部材の凹凸に引っ掛けやすくして、記録媒体の送出不良を低減することができる。
【図面の簡単な説明】
【００１４】
【図１】本発明の一実施形態に係る画像形成装置の概略構成を示す図である。
【図２】本発明の一実施形態に係る画像読取装置の概略構成を示す図である。
【図３】本発明の一実施形態に係る排出機構の正面断面図である。
【図４】本発明の一実施形態に係る第２の回転部材を示す（ａ）は横面図であって、（ｂ）は正面図である。
【図５】本発明の一実施形態に係る排出機構の動作を示す正面断面図である。
【図６】本発明の一実施形態に係る排出機構から記録媒体が排出される様子を示す図である。
【図７】本発明の他の実施形態に係る第２の回転部材を示す（ａ）は横面図であって、（ｂ）は正面図である。
【図８】本発明の他の実施形態に係る排出機構の動作を示す正面断面図である。
【発明を実施するための形態】
【００１５】
次に、本発明を実施するための一形態を図面を参照して説明する。
図１は、画像形成装置１００を示す断面図である。画像形成装置１００は、印刷装置１０２及び画像読取装置１０を有している。
【００１６】
印刷装置１０２は、印刷を行う装置である。印刷装置１０２は、例えば３段の記録媒体供給カセット１０４を有し、これら記録媒体供給カセット１０４のそれぞれには供給ヘッド１０６が設けられている。
【００１７】
記録媒体供給カセット１０４の一つが選択されると、供給ヘッド１０６が作動して選択された記録媒体供給カセット１０４から搬送路１０８を介して画像形成部１１０に供給される。
【００１８】
画像形成部１１０は、イエロー、マゼンタ、シアン及びブラックの各感光体１１２が併設されていると共に、中間転写ベルト１１４が設けられている。
【００１９】
各感光体１１２の周囲には、帯電装置、露光装置、現像装置、一次転写装置及びクリーニング装置など（図示せず）が配置され、各感光体１１２に形成されたトナー像が中間転写ベルト１１４に転写される。白黒設定された場合は、ブラックのみが作動可能であるようにされる。
【００２０】
中間転写ベルト１１４のトナー像は、二次転写ロール１１６により、送られてきた記録媒体に転写され、定着装置１１８により定着され、このトナー像が定着された記録媒体が搬送路１２０を通って排出機構１２２を介して積載部１２４に排出される。
【００２１】
ただし、両面印刷が設定された場合は、定着装置１１８により表面が定着された記録媒体は、搬送路１２０から反転装置１２６に送られ、この反転装置１２６で反転され、記録媒体反転路１２８に送られ、再び搬送路１０８に戻され、画像形成部１１０に送られて裏面の印刷がなされる。
【００２２】
図２は本実施の形態が適用される画像読取装置１０の構成を示す図である。
画像読取装置１０は、積載された記録媒体束から記録媒体を順次搬送する記録媒体搬送装置１２と、スキャンによって記録媒体の画像を読み取るスキャン装置１４とから構成される。
【００２３】
記録媒体搬送装置１２は、複数枚の記録媒体からなる記録媒体束を積載する記録媒体収容部１６、この記録媒体収容部１６の下方に設けられ、読み取りが終了した記録媒体を積載する積載部１８を備える。また、記録媒体搬送装置１２は記録媒体収容部１６の記録媒体を取り出して搬送する取り出しロール２０を備える。さらに、取り出しロール２０の記録媒体搬送方向下流側には、記録媒体を一枚ずつ捌く捌き機構２２が設けられる。この捌き機構２２は、取り出しロール２０により供給される記録媒体をさらに下流側に向けて搬送するフィードロール２２ａ、取り出しロール２０により供給される記録媒体を一枚ずつに捌くリタードロール２２ｂを有する。記録媒体が搬送される搬送路２４には、記録媒体搬送方向上流側から順に、プレレジロール２６、レジロール２８、プラテンロール３０、アウトロール３２、および後述する記録媒体送出装置としての排出機構３４が設けられる。プレレジロール２６は、一枚ずつに捌かれた記録媒体を下流側のロールに向けて搬送すると共に記録媒体のループ形成を行う。レジロール２８は、回転し一旦停止した後にタイミングを合わせて回転を再開し、後述する画像読取部に対してレジストレーション調整を施しながら記録媒体を供給する。プラテンロール３０は、スキャナ装置１４にて読み込み中の記録媒体搬送をアシストする。アウトロール３２は、スキャナ装置１４にて読み込まれた記録媒体をさらに下流に搬送する。そして、排出機構３４は、読み込まれた記録媒体をさらに搬送すると共に積載部１８に排出（送出）する。
【００２４】
一方、スキャナ装置１４は、上述した記録媒体搬送装置１２を開閉可能に支持すると共に、この記録媒体搬送装置１２を装置フレーム３７によって支え、また、記録媒体搬送装置１２によって搬送される記録媒体の画像読み取りを行っている。このスキャナ装置１４は、筐体を形成する装置フレーム３７、画像を読み込むべき記録媒体を静止させた状態で置くことが可能な第１プラテンガラス３９Ａ、記録媒体搬送装置１２によって搬送される記録媒体を読み取るための光の開口部を有する第２プラテンガラス３９Ｂを備えている。
【００２５】
また、スキャナ装置１４は、第２プラテンガラス３９Ｂの下に静止し、あるいは第１プラテンガラス３９Ａの全体にわたってスキャンして画像を読み取る画像読取部としてのＣＩＳ（Ｃｏｎｔａｃｔ  Ｉｍａｇｅ  Ｓｅｎｓｏｒ：密着イメージセンサ）４１が設けられている。
【００２６】
ここで、記録媒体の一例としては普通紙または再生紙といった印刷用紙やミラーコート紙、色紙、ＯＨＰシート等が挙げられる。本実施例では、「記録媒体Ｐ」を用いて説明を行う。
【００２７】
図３は、排出機構３４を示す正面図である。
排出機構３４は、回転駆動する第１の回転部材３５，３５と、第１の回転部材３５，３５にそれぞれ対向して設けられ、第１の回転部材３５、３５の回転に従動して回転する第２の回転部材３６、３６と、を有する。
【００２８】
第１の回転部材３５，３５は、例えばゴム材等の摩擦係数の高い材質で覆われ、中心を支軸３８に支持される。支軸３８は、不図示の駆動源に連結される。
第２の回転部材３６，３６は、例えばプラスチック等の材質で形成され、それぞれ中心を支軸４０に支持される。支軸４０は軸受け４５，４５に支持される。
すなわち、第２の回転部材３６，３６は、第１の回転部材３５，３５側に加圧されて第１の回転部材３５，３５とそれぞれ接触し、第１の回転部材３５，３５の回転にともなって従動回転して、記録媒体Ｐを積載部１８に向けて排出する。
【００２９】
第２の回転部材３６，３６間はフレーム４３で覆われ、異物や人の指の挿入が防止される。
フレーム４３は、第１の回転部材３５と第２の回転部材３６の当接面Ａよりも重力方向Ｓ下方に形成され、第１の回転部材３５，３５と第２の回転部材３６，３６間を通過した記録媒体Ｐは積載部１８へ蹴り出される。
【００３０】
図４は、第２の回転部材３６を示す（ａ）は横面図であって、（ｂ）は正面図である。
第２の回転部材３６は、第１の回転部材３５に対向して配置される回転部材本体４４と、この回転部材本体４４に軸方向に連続して形成され、回転部材本体４４よりも大きい径で形成された凸部４２ａと、回転部材本体４４に軸方向に連続して形成され、回転部材本体４４よりも小さい径で形成された凹部４２ｂと、から構成される。
【００３１】
凸部４２ａと凹部４２ｂとは、回転部材本体４４の一周にわたって一定の間隔で交互に形成されている。
凸部４２ａと凹部４２ｂとは、回転部材本体４４の両端に形成されている。
【００３２】
凸部４２ａと回転部材本体４４は、滑らかなテーパー状又は滑らかな曲線状に連続して形成されている。
凹部４２ｂと回転部材本体４４は、滑らかなテーパー状又は滑らかな曲線状に連続して形成されている。
【００３３】
第２の回転部材３６において、回転部材本体４４の一端側の凸部４２ａと他端側の凸部４２ａとは、周方向で同じ位置に形成されている。また、回転部材本体４４の一端側の凹部４２ｂと他端側の凹部４２ｂとは、周方向で同じ位置に形成されている。
【００３４】
次に、本発明の一実施形態に係る排出機構３４の動作について説明する。
図５は、排出機構３４の動作を示す正面断面図である。
図６は、排出機構３４から記録媒体Ｐが排出される様子を示す図である。
【００３５】
記録媒体Ｐは、記録媒体Ｐの搬送面側に凸部４２ａが配置されると、第１の回転部材３５の両端側で記録媒体Ｐは上方へ押し上げられ、記録媒体Ｐのこしによって記録媒体Ｐを変形させて搬送される（図５（ａ））。
【００３６】
そして、記録媒体Ｐの搬送面側に凹部４２ｂが配置されると、第１の回転部材３５の両端側で記録媒体Ｐは下方へ移動され、図５（ａ）の状態から記録媒体Ｐの波形を変形させて搬送される（図５（ｂ））。                                                    
【００３７】
すなわち、記録媒体Ｐは、第１の回転部材３５と第２の回転部材３６の回転において、一端側の凸部４２ａと他端側の凸部４２ａとが軸方向で同時に記録媒体Ｐに接し、一端側の凹部４２ｂと他端側の凹部４２ｂとが軸方向で同時に記録媒体Ｐに接して、第１の回転部材３５と第２の回転部材３６の回転によって、記録媒体Ｐは、形状を変化されて積載部１８へ向けて搬送される（図６（ａ））。
【００３８】
そして、記録媒体Ｐの後端が第１の回転部材３５と第２の回転部材３６の当接面Ａを通過すると、記録媒体Ｐの後端は、第２の回転部材３６の凹部４２ｂ内に留まる（図６（ｂ））。
【００３９】
そして、記録媒体Ｐの後端が凹部４２ｂ内で凸部４２ａの側面にひっかけられて、積載部１８に向けて蹴り出されて落下する（図６（ｃ））。
【００４０】
すなわち、再生紙や坪量が低い記録媒体の低速排出時であっても記録媒体の送出不良が低減される。また、高温多湿な環境下であっても記録媒体の送出不良が低減される。
【００４１】
図７は、本発明の他の実施形態に係る第２の回転部材４６を示す（ａ）は横面図であって、（ｂ）は正面図である。
【００４２】
本実施形態では、第２の回転部材の両端に形成される凸部４２ａと凹部４２ｂの配置が一端側と他端側で異なる。
第２の回転部材４６において、回転部材本体４４の一端側の凸部４２ａと他端側の凸部４２ａとは、周方向で異なる位置に形成されている。また、回転部材本体４４の一端側の凹部４２ｂと他端側の凹部４２ｂとは、周方向で異なる位置に形成されている。すなわち、凸部４２ａと凹部４２ｂが一端側と他端側で交差して配置される交差（千鳥）形状が用いられる。
【００４３】
図８は、第２の回転部材４６を用いた排出機構５４の動作を示す正面断面図である。
【００４４】
本実施形態においては、記録媒体Ｐは、記録媒体Ｐの搬送面側で第２の回転部材４６の一端側に凸部４２ａが配置されると、他端側は凹部４２ｂが配置される。
すなわち、第１の回転部材３５の一端側で記録媒体Ｐは上方へ押し上げられると他端側では下方へ移動され、記録媒体Ｐのこしによって記録媒体Ｐを変形して搬送される（図８（ａ））。
【００４５】
そして、記録媒体Ｐの搬送面側で第２の回転部材４６の一端側に凹部４２ｂが配置されると、他端側は凸部４２ａが配置される。すなわち、第１の回転部材３５の一端側で記録媒体Ｐは下方へ移動されると他端側では上方へ押し上げられ、図８（ａ）の状態から記録媒体Ｐの形状を変形させて搬送される（図８（ｂ））。
【００４６】
すなわち、記録媒体Ｐは、第１の回転部材３５と第２の回転部材４６の回転において、一端側の凸部４２ａと他端側の凹部４２ｂとが同時に記録媒体Ｐに接して、第１の回転部材３５と第２の回転部材４６の回転によって、一端側と他端側で交互に記録媒体Ｐに接し、記録媒体Ｐは、形状を変化されて積載部１８へ向けて搬送され、記録媒体Ｐの後端が第２の回転部材４６の凹部４２ｂ内に留まって、第２の回転部材４６の凸部４２ａの側面にひっかけられて、積載部１８に向けて蹴り出されて落下する。
【００４７】
すなわち、第１の実施形態においては、第１の回転部材３５の両端側で凸部４２ａ若しくは凹部４２ｂがそれぞれ同時に当たる構成であったが、本実施形態においては、第１の回転部材３５の一端側と他端側で凸部４２ａと凹部４２ｂが交互に当たる構成となっており、上述した第１の実施形態と比べて、凹部４２ｂ内に記録媒体Ｐが留まりやすくして、凸部４２ａの側面に記録媒体Ｐの後端に当たり易くして（蹴り出し易くして）、記録媒体Ｐの後端に当たる回数（蹴り出す回数）を増加させている。
【００４８】
なお、本実施形態においては、回転部材を２組用いる構成について説明したが、これに限らず複数設けてもよい。
【００４９】
また、本実施形態においては、第２の回転部材３６，４６の両端に凹凸を設ける構成について説明したが、これに限らず、第１の回転部材３５の両端に設けてもよい。
【００５０】
また、本実施形態においては、第２の回転部材３６，４６の両端に凹凸を設ける構成について説明したが、これに限らず一端に設けてもよい。
【００５１】
また、本実施形態においては、従動回転する第２の回転部材３６，４６を軸４０と軸受け４５でそれぞれ支持する構成について説明したが、これに限らず、第２の回転部材も１本の支軸で支持するようにしてもよい。
【００５２】
また、本実施形態においては、記録媒体搬送装置１２の排出機構３４について説明したが、これに限らず、印刷装置１０２の排出機構１２２にも適用される。
【００５３】
以上で説明したように、本発明は、例えば複写機、プリンタ、スキャナ、ファクシミリ装置等の画像形成装置に適用することができる。
【符号の説明】
【００５４】
１０・・・・・・画像読取装置
１２・・・・・・記録媒体搬送装置
１４・・・・・・スキャナ装置
１８，１２４・・積載部
３４，５４，１２２・・排出機構
３５・・・・・・第１の回転部材
３６，４６・・・第２の回転部材
４２ａ・・・・・凸部
４２ｂ・・・・・凹部
４４・・・・・・回転部材本体
１００・・・・・画像形成装置
１０２・・・・・印刷装置
【図１】
0006551664.tif 000002
【図２】
0006551664.tif 000003
【図３】
0006551664.tif 000004
【図４】
0006551664.tif 000005
【図５】
0006551664.tif 000006
【図６】
0006551664.tif 000007
【図７】
0006551664.tif 000008
【図８】
0006551664.tif 000009